Podtech/llm-jp-corpus-v4-ja_patent huggingface dataset:
(57)【要約】【課題】ペットボトルの飲料後は多くの人はキャップを付けたまま捨てる事が多い。野外などではエコキャップ専用のゴミ箱をセットしている所はかいむであり、室内の観光施設も同じである。しかし、家庭内ではキャップとボトルを分別することはほとんどないのが現状である。【解決手段】この装置を設置するとエコキャップを投入口から入れると光とともに音も発せられるので興味をもって分別するようになる。学校など子どもの多く集まるところに設置すれば多くはこの装置の発する音に興味を持ち、小さい頃からゴミの分別を覚え、環境などに役に立つことになる。センサーによる音は単純ではなく、言葉に置き換えて「ありがとう」などの言葉を発すると子どもたちに関心が高まりかつ教育に役に立つ。【選択図】図１
2018048020.tif 000002
【特許請求の範囲】
【請求項１】
ペットボトルのキャップを回収する回収装置であって、前記ペットボトルのキャップを投入し、落下させる筒体と、落下した前記キャップに同期させて動作させるセンサー部とを備え、前記キャップの落下時に合わせ、表示灯、インジケータ部及び音を発する事を特徴としたキャップ収納装置。
【請求項２】
前記筒体は透明な材料で形成していることを特徴とする請求項１記載のエコキャップ収納装置。
【請求項３】
前記筒体は自在に継ぎ合わせができる分割式に形成していることを特徴としている請求項１〜２記載のエコキャップ収納装置。
【発明の詳細な説明】
【技術分野】
【０００１】    この発明はエコキャップを効率よく収納するための装置である。
【背景技術】
【０００２】    ペットボトルのエコキャップは従来ペットボトルより分別されて廃棄される場合、ほとんどが分別されずに廃棄されていた。ペットボトルとキャップは材料が違うので特に再利用するときは人の手によって分別していた。
【先行技術文献】
【特許文献】
【０００３】
【特許文献１】  特開２０１２−００７６５５号
【発明の概要】
【発明が解決しようとする課題】
【０００４】    一般的にペットボトルを廃棄する場合には、ほとんどペットボトルとキャップとを分別することもなくそのままゴミとして投棄されていた。特許特開２０１２−００６７５５号は、上方の投入口から投入されたキャップを箱の底部に向けて落下させ収容するが、キャップ投入の際のトラブル時には内部を確認及び点検するために、本体装置を開かないと原因を解明できなかった。しかも、キャップ本体や異物などが詰まった時でも同様である。
【課題を解決するための手段】
【０００５】    本体にトラブルが発生したときにはメンテナンス者以外の人でも解りやすいように、キャップ本体が落下する様子が見えるように、例えばプラスチック等の透明な材質を用いている。【０００６】    ペットボトルのキャップはリサイクルとして回収される場合、分別するが、通常はペットボトルに装着したまま廃棄される事が多い。そのため最終的にリサイクル製造工場ではペットボトルとキャップを別々に分別する作業者が必要となっている。この作業者の手間を軽減するために本発明品を使用する。【０００７】    エコキャップ収納器はカートリッジ式になっており、その形状を変えることによって長さやサイズなども設置する場所によって変えることができる。【０００８】具体的にエコキャップの筒体（３ａ）、（３ｂ）の中間部は嵌分式で自在に継ぎ合わせることができる分割式になっている。【０００９】    このエコキャップ収納器本体（４）は前述した様に透明な筒状の材質で制作するので、エコキャップ（１０）が落下する過程を外部から容易にみることができるので、途中でエコキャップ（１０）が何らかのトラブルにより詰まっても簡単に取り除けて解消することができる。
【発明の効果】
【００１０】    このエコキャップ収納器は投入者がエコキャップ（１０）の投入時に、筒状の形状を通る間にセンサー（５）により感知、同時に音を発することによって、投入者にそれを知らしめる。センサー（５）はエコキャップの筒体（４）の内部に突起を形成した形状なのでエコキャップ（１０）の動きも単にエコキャップの筒体（４）の中を通るのではなく、突起に当たり動きが変わり、不規則な動きと音によって投入者の興味をより多く得ることができる。【００１１】    取り付けられたセンサーによって投入されたエコキャップの数はセンサーによってその数を表示させる。【００１２】    本体に取り付けられた電源部によってセンサーで感じた音はあらかじめ設定された音に変えることができるので、小さな子どもへのゴミを分別する事への教示にもなる。
【図面の簡単な説明】
【００１３】
【図１】  本発明の本体とその正面立体図である。
【図２】  本発明の本体の側面図である。
【図３】  本発明の本体を斜め上方から見た図である。
【発明を実施するための形態】
【００１４】    以下、本発明を図１〜図３の図面に基づいて説明する。
先ず、エコキャップ（１０）を投入口（１）より投入し、エコキャップ（１０）の落下管（３ａ）に落下させ、落下されたエコキャップ（１０）は下方へ続いている落下管（３ｂ）を介してセンサー（５）の突起に接触し、感知されたセンサー（５）にスイッチが入り、図示しないスピーカーからが様々な音を発する仕組みである。落下管（３ａ）（３ｂ）は互いに嵌合構造となっており、収納する際には取り外しが可能である。収納箱（６）の入り口にはセンサー（５）により投入された数を感知して投入口上部に（２）の表示部にその投入数を示す。制御部（８）は電源回路とセンサー（５）からの情報を制御するスイッチなどが、設置された装置により様々な光や音を出すようになっている。
【００１５】    エコキャップ投入口（１）の形状はキャップを縦から投入できるように十分に余裕を持った形状にする。
【００１６】    収納箱（６）は引き出し様式になっており、とって（７）より引き出せる構造になっている。
【符号の説明】
【００１７】  １    エコキャップ投入口
２    インジケーター（表示部）
３ａ  エコキャップの筒体
３ｂ  エコキャップの筒体
４    本体
５    センサー
６    収納部
７    取っ手部分
８    制御部
９    収納箱
１０  キャップ
【図１】
2018048020.tif 000003
【図２】
2018048020.tif 000004
【図３】
2018048020.tif 000005
(57)【要約】      （修正有）【課題】脇汗による、ニオイの原因となるニオイ菌の増殖をおさえワキガや頑固なニオイ菌を殺菌、減少させる。また、衣類にも菌が付かず、臭わない、黄ばみを防ぐ、防水パットに除菌シートを付けた、脇ピタ除菌パットを提供する。【解決手段】防水パット１に、除菌シート２を付け、脇用除菌パットとする。【選択図】図１
2018048431.tif 000002
【特許請求の範囲】
【請求項１】
防水パット（１）に、除菌シート（２）を付けたものである。
脇ピタ除菌パットである。
【発明の詳細な説明】
【技術分野】
【０００１】この発明は、防水パットに、除菌シートを付け、除菌を目的とした脇用パットに関するものである。
【背景技術】
【０００２】従来、スプレータイプやロールオンタイプのニオイ菌を殺菌、汗のニオイや体臭を防ぐもの、また衣類に付けるものはありましたが、脇に貼るタイプのものはありませんでした。
【先行技術文献】
【特許文献】
【０００３】
【発明の概要】
【発明が解決しようとする課題】
【０００４】これは次のような欠点があった。
（イ）従来、スプレータイプやロールオンタイプ、衣類に付けるものはニオイ菌を殺菌出      来ないので、きついワキガや体臭等、長時間防臭することは難しい。
（ロ）汗じみ、汗菌による衣類の黄ばみを防げない。
本発明は、以上のような欠点をなくすためになされたものです。
【課題を解決するための手順】
【０００５】肌色の防水パット（１）に、除菌シート（２）を付けたものです。
本発明は、以上の構成によりなる脇ピタ除菌パットです。
【発明の効果】
【０００６】（イ）除菌シートを付けた防水パットを脇に直に付けることで、ニオイの原因となるニオ      イ菌の増殖をおさえ、ワキガや頑固なニオイ菌を殺菌減少させる。衣類にも菌が付      かず臭わない、汗じみによる衣類の黄ばみを防ぐ。
（ロ）肌色のパットを使っているので、半袖の洋服を着ていて腕を上げる等しても、貼っ      ていることがわかりにくい。
【図面の簡単な説明】
【０００７】
【図１】本発明の斜視図である。
【発明を実施するための形態】
【０００８】以下、本発明を実施するための形態について説明する。
防水パット（１）に除菌シートに、（２）を付けたものである。
本発明は、以上のような構造である。
これを使用する時は、脇にシールが密着することが必要である。
【符号の説明】
【０００９】１  防水パット
２  除菌シート
【図１】
2018048431.tif 000003
(57)【要約】【課題】一日中はいた靴下でお店のお座敷にあがるのは、ニオイが気になる人が多かった。  本発明は、靴下の上から装着する紙靴下を提供する。【解決手段】つま先から足の甲の中部分までをつつむ本発明は、紙でできている紙靴下で、紙靴下の上部（口ゴム部）には、ゴムが入っており、靴下と足のニオイを外にもらすのを防いでくれる。  使用するさいは、靴下の上からかぶせるように装着する。【選択図】図２
2018048430.tif 000002
【特許請求の範囲】
【請求項１】
つま先から足の甲の中部分までを包む紙でできた靴下で、紙靴下の上部（口ゴム部）には、ゴムがついているニオイ防止用紙靴下。
【発明の詳細な説明】
【技術分野】
【０００１】  本発明は、靴下の上から装着する紙靴下である。
【背景技術】
【０００２】  一日中はいていた靴下でお店のお座敷にあがる時、ニオイを気にする人がいる。
お座敷にあがる場合には、予備の靴下にはきかえる人もいる。
【先行技術文献】
【特許文献】
【０００３】
【発明の概要】
【発明が解決しようとする課題】
【０００４】  忘年会や新年会など、会社やサークルで居酒屋などを利用する人が多い。お座敷にあがる時、足のニオイを気にして、宴会を楽しめずにいる人も多い。
本発明は、以上の問題点を解決するためになされたものである。
【課題を解決するための手段】
【０００５】  つま先から足の甲の中部分までをつつむ紙靴下。紙靴下の上部（口ゴム部）には、ゴムがついていて、ニオイがもれるのを防ぐ構造である。
【発明の効果】
【０００６】  本発明は靴下の上から装着するため、ニオイが染みついた靴下をはきかえることが不要で、かつ装着も簡単にできる。
紙でできた靴下なので、製造費も安くできるメリットがある。
【図面の簡単な説明】
【０００７】
【図１】本発明の斜視図
【図２】本発明の使用状態を示す斜視図
【発明を実施するための形態】
【０００８】  以下、本発明の実施の形態を説明する。
（１）紙でできた靴下で、つま先から足の甲の中部分までをつつむものである。（２）紙靴下の上部（口ゴム部）には、ゴムがついていて、ニオイを外にもらさない構造である。
本発明を使用するときは、靴下の上から本発明をかぶせるようにはくだけで、とても簡単に装着でき、一日中はいた靴下と足のニオイを防ぐことができる。よって、居酒屋などのお店のお座敷にあがるさいも、ニオイを気にせずに楽しむことができる。
【符号の説明】
【０００９】１  紙
２  紙靴下上部（口ゴム部）のゴム
【図１】
2018048430.tif 000003
【図２】
2018048430.tif 000004
(57)【要約】      （修正有）【課題】肌着とシャツを個々別々に脱着することのないシャツを提供する。【解決手段】シャツ１の内側に肌着２を取り付ける。または、シャツ１の内側に肌布を取り付ける。【選択図】図１
2018048429.tif 000002
【特許請求の範囲】
【請求項１】
肌着が内側に取り付けられたシャツ。
【請求項２】
テープ状の肌布が内側に取りつけられたシャツ。
【発明の詳細な説明】
【技術分野】
【０００１】本案は四季に特に夏季に着用のシャツに関する。
【背景技術】
【０００２】従来の肌着とシャツは個々別々に着用で知られる。
【発明の概要】
【発明が解決しようとする課題】
【０００３】従来から０００２の記載の如くで、暑い夏期は、あせ、を、かき、肌の湿り気で肌着の布の滑りが悪く、特に首から着る肌着の脱着は高齢者には困難である。
【課題を解決するための手段】
【０００４】本案は上記の課題を解消するためになされたもので、  請求項１に記載のシャツは肌着が内側に取りつけられている。請求項２に記載のシャツはテープ状の肌布が内側に取り付けられている。
【発明の効果】
【０００５】本案は上記の構成を採用することにより，四季を通じて肌着２とシャツ１との一体化で高齢者には操作の簡素化で効果大である。
【図面の簡単な説明】
【０００６】
【図１】本発明の第１の実施例を示す前面図
【図２】本発明の第１の実施例を示す背面図
【図３】本発明の弟２の実施例を示す前面図
【図４】本発明の弟２の実施例を示す背面図
【発明を実施するための形態】
【実施例１】
【０００７】  図１および，図２のとおり、シャツ１の内側に肌着２が取り付けられている。
【実施例２】
【０００８】図３および図４のとおり、シャツ１の内側に肌布３が取り付けられている。
【符号の説明】
【０００９】１  シャツ
２  肌着
３  肌布
【図１】
2018048429.tif 000003
【図２】
2018048429.tif 000004
【図３】
2018048429.tif 000005
【図４】
2018048429.tif 000006
(57)【要約】【課題】内臓服や電池式懐炉は小型発熱体の少ない発熱量で人体の末端や背筋を一時的に加熱するため、人体のごく一部、一時的な温熱効果しか得られず、深部体温の向上に繋がらなかった。また、使い捨てカイロのような科学反応式の温熱用具は、温熱のオンオフ制御や温度調整が出来ない欠点があった。【解決方法】シート状カーボンヒーターとモバイルバッテリーとウェアラブルな本体構造により腋窩動脈内の血管中血液を温熱と遠赤外線によって直接的に暖め、少ない発熱量で効果的な暖房を行うウェアラブルヒーターを構成している。また、通電コントローラーでシート状カーボンヒーターのオンオフおよび温度制御を行うことで、安全な暖房を行うウェアラブルヒーターを構成している。【選択図】図１
2018048428.tif 000002
【特許請求の範囲】
【請求項１】
シート状カーボンヒーターとモバイルバッテリーにより、腋窩を温熱と遠赤外線で直接的に暖めることができることを特徴とするウェアラブルヒーター。
【請求項２】
通電コントローラーでシート状カーボンヒーターのオンオフおよび温度制御を行うことを特徴とする請求項１記載のウェアラブルヒーター。
【請求項３】
衣服との分離式であるモジュール化したウェアラブルな本体構造を特徴とする請求項２を備えた請求項１記載のウェアラブルヒーター。
【発明の詳細な説明】
【技術分野】
【０００１】この発明は、カーボンフィルムヒーターを利用したウェアラブルヒーターに関する。
【背景技術】
【０００２】従来のヒーター内臓服や電池式懐炉は少ない発熱量で人体の末端や背筋を一時的に加熱するよう、小型で携帯可能な発熱体で構成されている。
また、使い捨てカイロは空気の存在によって発熱する発熱粉末を含む複数の発熱部と、発熱部に対する通気性を確保した積層構造で構成されている。【０００３】しかしながら、電池式の小型発熱体を利用した温熱方法では人体のごく一部、一時的な温熱効果しか得られず、深部体温の向上に繋がらない欠点があった。
また、使い捨てカイロのような科学反応式の温熱用具は、温熱のオンオフ制御や温度調整が出来ない欠点があった。
【先行技術文献】
【特許文献】
【０００４】
【特許文献１】特開２０１６−３０８７５号公報
【特許文献２】特開２００８−１３２３０５号公報
【特許文献３】特開２０１６−０２３０９０号公報
【特許文献４】特開２０１４−６８７０２号公報
【非特許文献】
【０００５】
【非特許文献１】「テルモ体温研究所ホームページ」テルモ株式会社，テルモ体温研究所，ｈｔｔｐ／／ｗｗｗ．ｔｅｒｕｍｏ−ｔａｉｏｎ．ｊｐ／ｔｅｒｕｍｏ／ｒｅｐｏｒｔ／０７＿１．ｈｔｍｌ
【非特許文献２】「遠赤外線協会ホームページ」一般社団法人遠赤外線協会，遠赤外線とは，ｈｔｔｐ／／ｗｗｗ．ｅｎｓｅｋｉ．ｏｒ．ｊｐ／ｔｏｋｕｓｅｉ．ｐｈｐ
【非特許文献３】「株式会社大木工藝ホームページ  株式会社大木工藝，炭素について，ｈｔｔｐ：／／ｏｈｋｉ−ｔｅｃｈｎｏ．ｃｏｍ／ｃａｒｂｏｎ．ｈｔｍｌ
【非特許文献４】「マイナビ学生の窓口  ホームページ」株式会社マイナビ，使い捨てカイロ  貼る場所を間違えると体調不良の原因になる，ｈｔｔｐｓ：／／ｇａｋｕｍａｄｏ．ｍｙｎａｖｉ．ｊｐ／ｇｍｄ／ａｒｔｉｃｌｅｓ／３２８８６
【発明の概要】
【発明が解決しようとする課題】
【０００６】本発明は、以上のような従来の欠点に鑑み、モバイルババッテリーとシート状のカーボンヒーターを用いて腋窩動脈内の血管中血液を温熱と遠赤外線によって効果的に暖めることで全身への温熱効果を提供し、必要に応じて温熱オンオフおよび温度調節が出来ることを課題とする。
【課題を解決するための手段】
【０００７】以上の課題を解決するために、本発明は、シート状のカーボンヒーターとモバイルバッテリーと通電コントローラーにより、温熱のオンオフおよび温度調節を可能としながら腋窩を温熱と遠赤外線で直接的に暖めることができることを特徴とするウェアラブルヒーターである。
【発明の効果】
【０００８】以上の説明から明らかなように、本発明にあっては次の効果が得られる。
本発明によれば、薄く小型で軽量のシート状カーボンヒーターとモバイルバッテリーと通電コントローラーで構成されているので、ピンポイントに腋窩動脈をコントロールされた温熱で暖めることで、安全に動脈中血液の温度を直接的に上げ全身への暖房ができる。
【図面の簡単な説明】
【０００９】
【図１】この発明の一実施形態を示す斜視図である。
【図２】この発明の一利用形態を示す斜視図である。
【発明を実施するための形態】
【００１０】以下、本発明の実施の形態を図に基づいて説明する。
【実施例１】
【００１１】本発明の一実施形態を図１に示す。
シート状カーボンヒーター１にモバイルバッテリー２より、通電コントローラー３を介してコントロールされた電流を通電させることでシート状カーボンヒーター１を発熱させる。
通電コントローラー３はモバイルバッテリー２からの電流をオンオフまたは強弱させることで、シート状カーボンヒーター１の温熱のオンオフまたは温度を調整することで安全に全身への暖房ができる。
【実施例２】
【００１２】本発明の一利用形態を図２に示す。
シート状カーボンヒーター１を腋の装着ポケット５へ装着し、ピンポイントに腋窩動脈に温熱と遠赤外線を照射することで暖房ができる。
また、モバイルバッテリー２より、通電コントローラー３は手元にて交換および操作が可能な様に接続ケーブル４にて腋の装着ポケット５内部のシート状カーボンヒーター１と接続することで衣服とウェアブルヒーターは一体化としない。
この発明は腋の装着ポケット５を接着できる衣服すべてに装着可能なよう、ユニット化することで利用状況に応じた衣服への装着ができる。
【産業上の利用】
【００１３】本発明は、ウェアラブルヒーターを製造する産業で利用される。
【符号の説明】
【００１４】１  シート状カーボンヒーター    ２  モバイルバッテリー
３  通電コントローラー    ４  接続ケーブル    ５  腋の装着ポケット
【図１】
2018048428.tif 000003
【図２】
2018048428.tif 000004
(57)【要約】【課題】高耐圧化とスイッチングの時間の短縮が同時に図れる構造を作る。【解決手段】本発明は、高耐圧化とスイッチング時間の短縮が同時に図れる半導体装置の構造に関するものである。ＰＮ接合型の半導体装置において、Ｎ型半導体に凹型の絶縁膜受け皿を、Ｐ型半導体領域に対向して窪みがある向きに形成する。スイッチング動作時にこの中に電子を捕獲することで、実質この中がＰ層と同じ状態になり、耐圧の向上が図れる。また。電子を捕獲するトラップとして働くことで、スイッチング時間を短縮することができる。【選択図】図２
2018152388.tif 000002
【特許請求の範囲】
【請求項１】
ＰＮ接合型の半導体装置において、Ｎ型半導体領域に局所的に埋め込まれた凹型形状の絶縁膜が存在することを特徴とする半導体装置。
【請求項２】
前記絶縁膜が凹型形状であることを特徴とする請求項１に記載の半導体装置。
【請求項３】
前記凹型形状の絶縁膜が、前記Ｐ型半導体領域に対向して窪んだ凹型形状であることを特徴とする請求項２に記載の半導体装置。
【請求項４】
前記凹型形状の絶縁膜の底部の長さに対する高さの比が１．５以上であることを特徴とする請求項２から請求項３に記載の半導体装置。
【請求項５】
前記絶縁膜が、シリコン酸化膜からなることを特徴とする請求項１から請求項４に記載の半導体装置。
【請求項６】
前記絶縁膜が、シリコン窒化膜からなることを特徴とする請求項１から請求項４に記載の半導体装置。
【発明の詳細な説明】
【技術分野】
【０００１】
本発明は、耐圧を向上でき、かつスイッチング時間を短縮できる半導体装置の構造に関する。
【背景技術】
【０００２】
従来、半導体デバイスの耐圧を向上するためにはガードリングなどの拡散層を形成する方法が知られている。一方、スイッチング時間を短くするためには、半導体に重金属を拡散したり、電子線照射などで結晶欠陥を形成し、キャリアのライフタイムを短くする方法が知られている。しかし、これらの特性を向上するには構造の組み合わせが必要であり、工程が複数である上プロセスを組み合わせて、耐圧とスイッチング時間の短縮の両方を充分保持するのは難しかった。
【先行技術文献】
【特許文献】
【０００３】
【特許文献１】特開平９−２０５２１７号公報  オリジン電気
【発明の概要】
【０００４】
白金拡散の濃度勾配とＰＮ接合の形状制御で、スイッチング時間を短縮でき、高耐圧が得られる半導体素子が記されている。
【発明が解決しようとする課題】
【０００５】
この構造の半導体装置では、構造の組み合わせが必要であり、工程が複雑であった。
【課題を解決するための手段】
【０００６】
ＰＮ接合を有する半導体素子において、Ｎ層内に、凹形状の絶縁膜受け皿を絶縁膜で形成する。
【発明の効果】
【０００７】
本発明によれば、スイッチング時間が短く、高耐圧な半導体装置を一つの構造で実現できる。
【図面の簡単な説明】
【０００８】
【図１】従来構造の半導体素子の構造である。
【図２】本発明の実施例１の構造である。
【発明を実施するための形態】
【０００９】
以下、本発明の実施の形態となる構造について説明する。
【実施例１】
【００１０】
図1に、従来構造の半導体装置を、図２に本発明の実施例１の半導体装置を示す。実施例１の半導体装置はダイオードであり、１はアノード領域となるＰ型半導体領域、２はカソード領域となるＮ型半導体領域である。１のＰ型半導体領域の濃度と、２のＮ型半導体領域の濃度は任意に設定できる。また３は凹型形状をした絶縁膜の受け皿、４は電子を示している。凹型形状の絶縁膜の受け皿３は、前記Ｐ型半導体領域に対向して窪んでいる。ダイオードＯＮの状態では、順方向バイアスが印加されているが、ＯＦＦ時には逆バイアスが印加される、逆バイアスをかけた際に、アノード側からカソードに流れてきた電子が絶縁膜の受皿にたまり、実質この領域がＰ層拡散層と同じ状態になる。これによって、Ｎ層の中にフローティングＰ層があるのと同じ状態になり、耐圧を向上できる。絶縁膜の受け皿の深さ、数、位置によって耐圧の最適化を図ることができる。また、スイッチング動作時に絶縁膜の受け皿３に電子４をためることで、電子トラップと同じ働きができ、スイッチング時間を短縮できる。この構造のメリットは、電子が受け皿に捕獲されることで、耐圧を向上しつつ、スイッチング時間も短くすることができることである。凹型形状の絶縁膜の底部の長さに対する高さの比が１．５以上であることが好ましく、これによって絶縁膜内部に捕獲した電子を逃がさず、絶縁膜の中に電子を効果的にためることができる。また、絶縁膜の受け皿の材料としては、加工して作りやすい、シリコン酸化膜、シリコン窒化膜が有効である。
【符号の説明】
【００１１】
１、Ｐ型半導体領域
２、Ｎ型半導体領域 
３、絶縁膜の受け皿
４、電子
【図１】
2018152388.tif 000003
【図２】
2018152388.tif 000004
(57)【要約】【課題】充分な耐圧が得られる外周構造を構築する。【解決手段】本発明は、高耐圧化が可能な外周構造を有する半導体装置に関するものである。半導体装置の高耐圧化の手法としては、拡散層を埋め込み電界の集中を緩和するガードリングを用いた外周構造が知られているが、充分な耐圧を安定して得ることは困難であった。本発明においては、Ｐ型アノード拡散層とＰ型ガードリング拡散層との間に、酸化膜で埋められたトレンチを形成し、これによって電界を緩和し、耐圧を向上する。【選択図】図２
2018152387.tif 000002
【特許請求の範囲】
【請求項１】
アノード層とガードリング層との間に、酸化膜で埋められたトレンチが存在することを特徴とする半導体装置。
【請求項２】
前記トレンチは、ガードリング層に接している事を特徴とする請求項１に記載の半導体装置。
【請求項３】
前記トレンチに接している前記ガードリング層がフローティング電位であることを特徴とする、請求項１から請求項２に記載の半導体装置。
【請求項４】
前記トレンチの上部には、アノード電極が存在することを特徴とする請求項1から請求項３に記載の半導体装置。
【請求項５】
前記トレンチの深さは、高抵抗層の厚さの1/2以上であることを特徴とする請求項１から請求項４に記載の半導体装置。
【発明の詳細な説明】
【技術分野】
【０００１】
本発明は、高耐圧化が可能な外周構造を有する半導体装置に関する。
【背景技術】
【０００２】
高耐圧デバイスはデバイス最外周に高電界が発生しやすいため、電界を緩和する外周構造が重要になる。電界を緩和する方法としては、ガードリングを設け、内部の電界強度を低くし、耐圧を維持する方法が知られているが、充分な耐圧を得ることが困難であった。
【先行技術文献】
【特許文献】
【０００３】
【特許文献１】特開２００５−１６７１４９号公報  サンケン電気
【発明の概要】
【０００４】
高耐圧化を目的として、素子周辺にガードリングとして機能するＰ型拡散層を埋め込む構造が記されている。
【発明が解決しようとする課題】
【０００５】
充分な高耐圧化が難しかった。
【課題を解決するための手段】
【０００６】
上述の課題を解決するために、本発明は、Ｐ型アノード層とＰ型ガードリング層との間に、酸化膜で埋められたトレンチを形成する。
【発明の効果】
【０００７】
本発明によれば、さらに高耐圧を有する半導体装置が得られる。
【図面の簡単な説明】
【０００８】
【図１】従来構造の半導体装置の構造である。
【図２】本発明の実施例１の構造である。
【図３】実施例１の構造の半導体装置をシミュレーションし、ポテンシャル分布を示したものである。
【発明を実施するための形態】
【０００９】
以下、本発明の実施の形態となる構造について説明する。
【実施例１】
【００１０】
図1に、従来構造であるダイオードの外周構造を記す。図のダイオードは、高濃度のＮ＋型半導体基板４上に、高抵抗Ｎ−半導体層５を有し、その中にＰ型アノード拡散層３、Ｐ型ガードリング層６、Ｎ＋ストッパ層９がある。表面に、アノード電極１を有し、裏面にカソード電極８を有している。図の波線は空乏層７を示している。１０は酸化膜を示しており、２，１１は電極を示している。ガードリングを用いた高耐圧化構造はよく知られているが、充分な耐圧を安定して得ることは困難であった。図２に本発明の実施例1に関わる構造を示す。図に示すように、本発明の構造においては、Ｐ型アノード拡散層３とＰ型ガードリング拡散層６との間に、酸化膜が埋めこまれたトレンチ１２が存在し、これによって電界の集中を緩和し、耐圧を向上させている。
酸化膜埋め込みトレンチ１２は、Ｐ型ガードリング拡散層６に接しているが、この構造が空乏層７を安定して伸ばすのに好ましい。また、酸化膜埋め込みトレンチ１２は、Ｐ型アノード拡散層３には接していなくても良い。
また、酸化膜埋め込みトレンチ１２の上部には、アノード電極１がある。これによって空乏層を縦方向に伸ばすことができ、耐圧を向上させることができる。前記トレンチ１２の深さは、前記高抵抗層５の厚さの1/2以上であることが望ましく、これによってさらに耐圧を向上できる。また、Ｐ型ガードリング拡散層６をフローティング電位にすることによって、さらに電界を緩和することができる。図３に実施例１の構造の半導体装置をシミュレーションし、ポテンシャル分布を得た結果を示す。本発明の構造によって、チップエッジ部の空乏層の間隔が広がり、耐圧が向上できることが分かる。
【符号の説明】
【００１１】
１、アノード電極
２、電極 
３、Ｐ型アノード拡散層
４、Ｎ＋基板
５、Ｎ−高抵抗層
６、Ｐ型ガードリング拡散層
７、空乏層
８、カソード電極
９、Ｎ＋ストッパ拡散層
１０、酸化膜
１１、電極
１２、酸化膜埋め込みトレンチ
【図１】
2018152387.tif 000003
【図２】
2018152387.tif 000004
【図３】
2018152387.tif 000005
(57)【要約】【課題】設計自由度を増し、トレンチゲート型トランジスタの微細化を可能にする。【解決手段】ゲート電極とフィールドプレートを平行に延伸し長くする構造ではなく、ゲート電極とフィールドプレート電極を、お互いが交わる方向に延伸し長くする。ゲート電極とフィールドプレート電極は、別々のトレンチに入れても良いし、同じトレンチに入れても良い。また、これらのレイアウトはどちらか一つではなく、混ぜ合わせて使用しても良い。これにより設計の自由度が広がり、半導体装置をより微細化することが可能になる。【選択図】図２
2018152386.tif 000002
【特許請求の範囲】
【請求項１】
半導体領域においてトレンチ内部に埋め込まれたゲート電極とフィールドプレート電極が、それぞれ交差する方向に延伸していることを特徴とする半導体装置。
【請求項２】
前記半導体領域において、前記トレンチ内部に埋め込まれた前記ゲート電極と前記フィールドプレート電極が、それぞれ直行する方向に延伸していることを特徴とする請求項１に記載の半導体装置。
【請求項３】
前記ゲート電極と前記フィールドプレート電極が、それぞれ別のトレンチ内部に存在することを特徴とする、請求項1および請求項２に記載の半導体装置。
【発明の詳細な説明】
【技術分野】
【０００１】
本発明は、微細化に有効な半導体装置の構造に関する。
【背景技術】
【０００２】
トレンチゲート型トランジスタはＯＮ抵抗が低減でき、スイッチングを短くできるメリットがある。構造としては、一つのトレンチ内部に、２つのゲート電極と、２つのゲート電極間に１つのフィールド電極が存在し、ゲート電極が長く延伸する方向に平行に、フィールドプレート電極が延伸する構造が知られているが、この構造ではスペースの無駄が生じ、設計の自由度が低くなるため微細化することが難しいという問題があった。
【先行技術文献】
【特許文献】
【０００３】
【特許文献１】特開２０１３−６９８５２号公報  東芝
【発明の概要】
【０００４】
トレンチ内部に、ゲート電極とフィールドプレート電極が平行に設置される構造のトレンチゲート型トランジスタが記されている。
【発明が解決しようとする課題】
【０００５】
トランジスタの設計自由度が低く、微細化が困難であった。
【課題を解決するための手段】
【０００６】
トレンチゲート型トランジスタにおいて、ゲート電極と、フィールドプレート電極が交差する方向に延伸する構造とする。ゲート電極とフィールドプレート電極は、それぞれ別のトレンチに存在しても良いし、同じトレンチ内部に存在しても良い。
【発明の効果】
【０００７】
本発明によれば、設計自由度が増し、トレンチゲート型トランジスタの微細化が可能になる。
【図面の簡単な説明】
【０００８】
【図１】従来構造の半導体素子の構造である。
【図２】本発明の実施例１の構造である。
【図３】本発明の実施例２の構造である。
【発明を実施するための形態】
【０００９】
以下、本発明の実施の形態となる構造について説明する。
【実施例１】
【００１０】
図1に示すように、従来構造のトレンチゲート型トランジスタは、半導体領域５の中に形成されたトレンチ６の中に、２つのゲート電極３とフィールドプレート電極４が存在し、ゲート電極３とフィールドプレート電極４が平行に延伸するという構造を有する。トレンチ６の内部は、酸化膜７で埋められている。しかしこの構造は、レイアウト的な自由度が低く、デバイス内部で空いているスペースを有効に利用できないため、微細化に向かないという問題があった。本発明の構造はこれを解決するためのものである。
本発明の実施例１に関わるトランジスタの構造を図２に示す。図２の構造では、ゲート電極３とフィールドプレート電極４がトレンチ６に埋め込まれており、ゲート電極３と交わる方向に、フィールドプレート電極４が長く伸びている。このような構造を取り入れることで、設計の自由度が広がり、半導体装置の微細化が可能になる。また、ゲート電極３と直角に交わる方向に、フィールドプレート電極４が長く伸びていることが好ましい。この構造によって、ゲート電極３とフィールドプレート電極４の放電を回避でき、安定した電気特性を得ることができる。
次に本発明の実施例２に関わる構造を図３に示す。図３においては、ゲート電極３とフィールドプレート電極４は別のトレンチにあるところが実施例1と異なる。このようにゲート電極３とフィールドプレート電極４を別のトレンチに入れてレイアウトすることで、さらに空きスペースを有効に使うことができ、より微細化しやすくできる。
ゲート電極とフィールドプレート電極は、別々のトレンチに入れても良いし、同じトレンチに入れても良く、これらのレイアウトはどちらか一つではなく、混ぜ合わせて使用しても良い。
これにより設計の自由度が広がり、半導体装置をより微細化することが可能になる。
【符号の説明】
【００１１】
１、ソース領域
２、ベース領域 
３、ゲート電極
４、フィールドプレート電極
５、半導体領域
６、トレンチ
７、酸化膜
【図１】
2018152386.tif 000003
【図２】
2018152386.tif 000004
【図３】
2018152386.tif 000005
(57)【要約】      （修正有）【課題】手の背屈と掌屈の角度を調整できるようにするとともに、指先を円滑に動かせる上肢保持装具を提供する。【解決手段】上肢保持装具を前腕部と手掌部に分け、それを可動式の連結部でつなぎ、適切な角度を選んでストッパー付きのギアで固定できるようにするとともに、保持装具の先をカットすることで指の動きを円滑にする。【選択図】図１
2018094339.tif 000002
【特許請求の範囲】
【請求項１】
上肢保持装具を前腕部と手掌部に分け、それを可動式の連結部でつなぎ、適切な角度を選んでストッパー付きのギアで固定できるようにする。
【請求項２】
障害者や治療者が簡単な手作業ができるようにしたり、手話や指文字を使って他の人に対する表現や意思の疎通をはかったりできるようにするために、上肢保持装具の先をカットして手の指先を動かせるようにする。
【請求項３】
親指及び他の四指の付け根のあたりをベルトで保持装具に固定し、指の第二関節から先を自由に動かしやすいようにする。
【発明の詳細な説明】
【技術分野】
【０００１】  本発明は、腕や手首に障害を有する場合や、傷病等の治療のために前腕部と手掌部を安全保持する場合に使用する装具の形状に関する。
【背景技術】
【０００２】  従来の手の保持装具の形状は、手首や指が固定される形式であったため、使用者の障害や症状に対して適切に対応することができなかった。
【発明の概要】
【発明が解決しようとする課題】
【０００３】  本発明の上肢保持装具は、手の背屈（手首を手の甲の側に曲げること）と掌屈（手首を掌の側に曲げること）の角度を調整できるようにするとともに、指先を円滑に動かせるようにして、手話や指文字を使って他の人に対する表現や意思の疎通をはかり、障害者や治療者が簡単な手作業ができるようにするものである。
【課題を解決するための手段】
【０００４】  上肢保持装具においては、保持装具を前腕部と手掌部に分け、それを可動式の連結部でつなぎ、ストッパー付きのギアで固定する。【０００５】  親指及び他の四指の付け根のあたりをベルトで保持装具に固定し、指の第二関節から先を動かせるようにする。
【発明の効果】
【０００６】  本発明の上肢保持装具は、障害者や治療者が軽い作業、手話、筆記、家事などを行なうことをサポートすることができる。
【図面の簡単な説明】
【０００７】
【図１】  上肢保持装具の前面図（左型装具、右型装具）
【図２】  上肢保持装具の背面図（左型装具、右型装具）
【図３】  上肢保持装具を小指側から見た図（右型装具、左型装具）
【発明を実施するための形態】
【０００８】  以下、本発明の実施の形態を図１〜図３に基づいて説明する。
【０００９】  図１は、上肢保持装具の前面図で、前腕部と手掌部に分けた保持装置を可動式の連結部でつなぎ、適切な角度に調節してギア式止め金具で固定する。親指及び他の四指をとめるベルトの内側にはソフトな素材のパッドを取り付けて指が痛くないようし、ベルトは面ファスナーで保持装具に固定する。
保持装具の先をカットしてあるので、指先を自由に使える。
保持装具には複数個の通気口を設けられるので手が蒸れることがない。
【００１０】  図２は上肢保持装具の背面図で、指先が装具から出ていることと通気口があることを示している。
【００１１】  図３は上肢保持装具の小指側から見た図である。
【実施形態の効果】
【００１２】  この上肢保持装具は、障害者や治療者がこれを使うことによって前腕部の安全を確保しながら軽度の作業を行なうことができ、手話や指文字を使って自分の意思を他の人に伝えやすくなる。
【他の実施形態】
【００１３】  各実施形態では、装具を固定するのに面テープを使用しているが、これを合成樹脂製または金属製の簡易な留め具に置き換えることもできる。
【産業上の利用可能性】
【００１４】  本発明の上肢保持装具は、障害者や治療者の労働や作業を支援し、手話や指文字などによる意思疎通や伝達を図りやすくするうえで、産業上の効果があるものと考える。
【図１】
2018094339.tif 000003
【図２】
2018094339.tif 000004
【図３】
2018094339.tif 000005
(57)【要約】【課題】マチ部に内ポケットを取り付けることで、被収容物の出し入れを容易にし、ポケットの見た目も人目に露呈しないマチ部を活用した鞄のポケット構造を提供する。【解決手段】スーツケース１は、収容部本体３０に配設され、マチファスナー５０の開閉によりマチ幅を伸縮可能にするマチ部６０と、マチ部６０に形成された開口部と、開口部の開口縁７０ａに縫着された袋部７０ｂと、を有するポケット構造である。開口部は、ポケットファスナー７０により開閉自在に構成されていることを特徴とする鞄のポケット構造である。【選択図】図２
2018094335.tif 000002
【特許請求の範囲】
【請求項１】
収容部本体に配設され、ファスナーの開閉によりマチ幅を伸縮可能にするマチ部と、
前記マチ部に形成された開口部と、
前記開口部の開口縁に縫着された袋部と、
を有することを特徴とする鞄のポケット構造。
【請求項２】
前記開口部は、ファスナーにより開閉自在に構成されていることを特徴とする請求項１記載の鞄のポケット構造。
【発明の詳細な説明】
【技術分野】
【０００１】
本発明は、マチ部を活用した鞄のポケット構造に関する。
【背景技術】
【０００２】
バッグ、キャリーバッグ、スーツケース等の鞄には、収容部の幅を伸縮可能にするマチ部が設けられており、マチ部を有効活用した鞄が種々存在する。
【０００３】
特許文献１に記載のバッグは、マチ部の外側に携帯電話収容部を縫着して取り付けている例であり、いわゆる構造上は外ポケットとなっている。
【先行技術文献】
【特許文献】
【０００４】
【特許文献１】特開平１０−４２９２８号公報（［００１９］、図１）
【発明の概要】
【発明が解決しようとする課題】
【０００５】
しかしながら、特許文献１の外ポケットでは、予め規定された収容部の幅以上に、またマチ部のマチ幅以上に被収容物を収容することができないため、被収容物が制限されてしまう。規定の幅以上に無理に被収容物を収容すると、露出している外ポケットが膨張してパンパンの状態となり、見た目は良くない。
【０００６】
そこで、本発明は、マチ部に内ポケットを取り付けることで、被収容物の出し入れを容易にし、ポケットの見た目も人目に露呈しないマチ部を活用した鞄のポケット構造を提供する。
【課題を解決するための手段】
【０００７】
本発明は、上記課題を解決するために、以下のものを提供する。
【０００８】
（１）  収容部本体に配設され、ファスナーの開閉によりマチ幅を伸縮可能にするマチ部と、前記マチ部に形成された開口部と、前記開口部の開口縁に縫着された袋部と、を有することを特徴とする鞄のポケット構造。
（２）  前記開口部は、ファスナーにより開閉自在に構成されていることを特徴とする鞄のポケット構造。
【０００９】
本発明によれば、マチ部に開口部が形成され、開口縁に袋部が縫着されていることから、マチ部に内ポケットが取り付けられた構造を呈している。幅や大きさが多少大きい被収容物であっても、袋部の膨らみによって収容することができ、袋部は外見に露呈しないことから見た目が悪くなることはない。また、開口部はファスナーにより開閉自在であることから、被収容物の脱落を防止することができる。
【発明の効果】
【００１０】
本発明の鞄のポケット構造は、いわゆる内ポケットの構造を呈し、被収容物の出し入れを容易にするとともに、袋部の膨らみを気にすることなく、見た目にも良いものを実現することができる。
【図面の簡単な説明】
【００１１】
【図１】スーツケースの外観斜視図である。
【図２】スーツケースを開いた図である。
【図３】スーツケースのマチ部を開いた図である。
【発明を実施するための形態】
【００１２】
以下、本発明の実施の形態について図面に基づいて説明する。なお、以下はスーツケースの例に基づいて説明するが、本発明はこれに限らず、バッグ、キャリーバックなどの鞄であれば何れにも適用可能である。
【００１３】
図１は、スーツケース１の外観斜視図であり、伸縮自在な取手部１０とキャスター２０とが収容部本体３０に露出して取り付けられている。また、収容部本体３０は、第１収容部３０ａと第２収容部３０ｂとが区画ファスナー４０によって開閉自在に区画されている、区画ファスナー４０の隣には離間してマチファスナー５０が設けられ、マチファアスナー５０の開閉によってマチ部６０のマチ幅を伸縮可能にしている。なお、区画ファスナー４０及びマチファスナー５０は、収容部本体３０の周縁略中央に配設されている。
【００１４】
取手部１０は、一対の筒状のロッド１０ａ，１０ｂと、ロッド１０ａ，１０ｂ内にスライド自在に挿通される軸部１０ｃ，１０ｄと、一対の軸部１０ｃ，１０ｄの両上端を結ぶように設けられた把持部１０ｅとから構成されている。取手部１０を使用する場合、把持部１０ｅを持ち、スーツケース１の上方向に引き上げ、ロッド１０ａ，１０ｂから軸部１０ｃ，１０ｄを引き上げる。これにより、持ち手の部分が長くなり、使用者は取手部１０を持ち、キャスター２０の回転によってスーツケース１を引きながら持ち歩くことができる。
【００１５】
図２は、スーツケース１を開いた図、図３は、スーツケース１のマチ部６０を開いた図である。図２及び図３に基づいて、ポケット構造について説明する。
【００１６】
マチファスナー５０を開くと、マチ部６０を構成する内装布が表出し、内装布の開口縁７０ａにはポケットファスナー７０が設けられており、開口縁７０ａは密接している。また、開口縁７０ａの周縁に袋部７０ｂが縫着されており、袋部７０ｂはスーツケース１の収容部本体内に収められることで、内ポケットを構成している。
【００１７】
図３の矢印は、マチファスナー５０とポケットファスナー７０との開閉関係を示しており、開閉する際には互いに反対方向に移動する向きとなるように構成されている。内外２重ファスナーの構造となるファスナーは、同じ方向で開閉ができてしまうと２つのファスナーが干渉して意図しない開閉が起こり得ることから、反対方向に移動する向きとしておけば意図しない開閉が起こることを防止することができる。
【産業上の利用可能性】
【００１８】
本発明に係る鞄のポケット構造は、被収容物の出し入れを容易にし、利便性の良い内ポケットの機能を実現するものとして産業上有用である。
【符号の説明】
【００１９】
１    スーツケース
１０    取手部
２０  キャスター
３０  収容部本体
４０  区画ファスナー
５０  マチファスナー
６０  マチ部
７０  ポケットファスナー（７０ａ  開口縁、７０ｂ  袋部）
【図１】
2018094335.tif 000003
【図２】
2018094335.tif 000004
【図３】
2018094335.tif 000005
(57)【要約】      （修正有）【課題】使用者の歩行を助け、爽快な使用感を実現するとともに、障害のある人が積極的に使用して外出する意欲をかきたてる外用短下肢装具（靴）を提供する。【解決手段】外用短下肢装具（靴）は、かかとの部分を斜めにカットすることにより、かかとが地面（床面）に引っかかることを防ぎ、土踏まずの部分の靴底をえぐることにより、靴底がしなって歩行しやすく、靴底の土踏まずの部分にカーブをつけ、歩く機会が少ないために足のアーチ型が保てなくなっている人の歩行を助け、靴のアッパー（甲革）に軽くて柔らかく、履き心地のよいオーストラリア産のカンガルーの革、もしくは薄くて耐水性のある日本産の革を美しい色で染めて使用し、歩きやすさとおしゃれなデザインを実現する。【選択図】図１
2018094338.tif 000002
【特許請求の範囲】
【請求項１】
かかとが地面（床面）に引っかかることを防ぐために、下肢装具（靴）のかかとの部分を斜めにカットする。
【請求項２】
靴底がしなって歩行しやすくするために、土踏まずの部分の靴底をえぐって可動性を高める。
【請求項３】
靴のアッパー（甲革）の部分に軽くて柔らかく、履き心地のよいオーストラリア産のカンガルー革を使用し、一層歩きやすくする。
【請求項４】
靴のアッパー（甲革）に日本製の薄い革で、濡れても大丈夫な皮革を使用し、カラフルな色彩で染めておしゃれな感覚を楽しめるようにする。
【請求項５】
靴底に敷くインソールを使用者の注文に応じて形をカットできるようにする。
【請求項６】
靴底に敷くインソールの土踏まずの部分にふくらみを持たせて、足裏のアーチ型をキープできるようにする。
【発明の詳細な説明】
【技術分野】
【０００１】  本発明は、足に障害がある人をより歩きやすくするための短下肢装具（靴）に関する。
【背景技術】
【０００２】  従来の短下肢装具（靴）は、靴底がつま先からかかとの部分までほとんど平らであるため、足を地面（床面）から十分に持ち上げて歩くことが難しい障害者は、かかとの部分が地面（床面）に引っかかって歩きにくかった。（例えば、特開２００１−３７８２６参照。）。
また、インソール（靴敷き）もほとんど平らなので、歩く機会が少ないために足のアーチ型が保てなくなっている人は歩きづらいものであった。
さらに、従来の短下肢装具（靴）は、実用面に重点を置き、おしゃれやデザインにはあまり重きを置いていなかった。
【発明の概要】
【発明が解決しようとする課題】
【０００３】  本発明は、短下肢装具（靴）を一層歩きやすくし、爽快な使用感を実現するとともに、障害のある人が積極的に使用して外出しようとする意欲をかきたてることを目指している。
【課題を解決するための手段】
【０００４】  この問題を解決するため、下肢装具のかかとの部分を斜めにカットすることにより、かかとが地面（床面）に引っかかることを防ぐ。【０００５】  土踏まずの部分の靴底をえぐることにより、靴底がしなって歩行しやすくなるようにする。【０００６】  靴のアッパー（甲革）に軽くて柔らかく、履き心地のよいオーストラリア産のカンガルー革を使用し、歩きやすさを実現する。【０００７】  別の方法として、靴のアッパー（甲革）に日本製の薄い革で、濡れても大丈夫な皮革を使用し、カラフルな色彩で染めておしゃれな感覚を楽しめるようにすることもできる。
【発明の効果】
【０００８】  本発明の短下肢装具（靴）は、障害がある人の歩行を助け、室内に閉じこもりがちな人たちが積極的に外に出ようとする意欲をかきたてることができる。
【図面の簡単な説明】
【０００９】
【図１】  外用短下肢装具（靴）の側面図  大人用（右型装具、左型装具）
【図２】  外用短下肢装具（靴）の側面図  子ども用（右型装具、左型装具）
【図３】  外用短下肢装具（靴）の靴底に敷くインソールの平面図
【図４】  外用短下肢装具（靴）の靴底に敷くインソールの長軸断面図
【図５】  外用短下肢装具（靴）の靴底に敷くインソールの短軸断面図
【発明を実施するための形態】
【００１０】  以下、本発明の実施の形態を図１〜図５に基づいて説明する。
【００１１】  図１は、大人用の外用短下肢装具（靴）で、歩きやすいようにかかと部分を斜めにカットし、カット面は平面または緩やかな曲面にする。土踏まず部分にカーブを描くようにえぐりを入れて靴底が弾力性をもってしなるようにする。
アッパー（甲革）には、軽くて柔らかなオーストラリア産のカンガルーの革を用い、色落ちしないように加工して使用する。
あるいは、おしゃれな感じを出すために、アッパー（甲革）に日本製の薄い耐水性のある皮革を用い、カラフルな色に染め、色落ちしないように加工して使用する。
【００１２】  図２は子ども用の外用短下肢装具（靴）で、仕様や機能は大人用と同じである。
【００１３】  図３は、外用短下肢装具（靴）の靴底に敷くインソールの形状を示した平面図である。
【００１４】  図４は、外用短下肢装具（靴）の靴底に敷くインソールの長軸断面図で、人の足裏のカーブに合わせたものにする。
【００１５】  図５は、外用短下肢装具（靴）の靴底に敷くインソールの三ケ所における短軸断面図で、最も横幅の広いボール部分はほぼ平らだが、土踏まずの部分はふくらみを持たせ、かかと部分は半ドーム型にしてかかとをしっかりとホールドできるようにする。
【実施形態の効果】
【００１６】  この外用短下肢装具（靴）は、使用者の歩きやすさを高めるもので、安全に歩行できる効果があり、おしゃれな感覚を楽しむこともできる。
【産業上の利用可能性】
【００１７】  本発明の下肢装具は、障害のある人の社会参加や社会進出を積極的に支援するものであり、円滑な歩行に役立つだけでなく、障害のある人のおしゃれ心を満たし、補装具にデザイン性をもたせる意味で産業の発展に寄与するものと考える。
【図１】
2018094338.tif 000003
【図２】
2018094338.tif 000004
【図３】
2018094338.tif 000005
【図４】
2018094338.tif 000006
【図５】
2018094338.tif 000007
【手続補正書】
【提出日】平成29年11月27日(2017.11.27)
【手続補正１】
【補正対象書類名】特許請求の範囲
【補正対象項目名】請求項１
【補正方法】変更
【補正の内容】
【請求項１】
靴底のつま先部分とかかと部分が同じ高さであり、前記靴底のかかとの部分が、後端から前方下端に向かって斜めにカットされ、前記靴底の土踏まずの部分がカーブを描くようにえぐられた下肢装具（靴）。
【手続補正２】
【補正対象書類名】図面
【補正対象項目名】全図
【補正方法】変更
【補正の内容】
【図１】
2018094338.tif 000008
【図２】
2018094338.tif 000009
【図３】
2018094338.tif 000010
【図４】
2018094338.tif 000011
【図５】
2018094338.tif 000012
(57)【要約】      （修正有）【課題】卵の殻をスムーズにかつ、衛生的に、キレイに割りやすくする為、転がりやすい卵を手元に置くこともでき、殻を割ることによって出る白身の汚れも防ぎ洗浄もしやすい器具を提供する。【解決手段】ステンレスやプラスチックなどの素材を用いて、両外側に卵置き及び白身受け部（２）を設ける。卵置き及び白身受け部（２）は割った際にでる白身を受ける皿の役目も果たす。殻割り部（１）に殻を打ち付け、ヒビをキレイに入れて卵を割る。【選択図】図１
2018094360.tif 000002
【特許請求の範囲】
【請求項１】
卵を受けるためのアールを有してある器具。
【請求項２】
真ん中の山の部分に卵の殻を割るためのアールを有してある器具。
【発明の詳細な説明】
【技術分野】
【０００１】本発明は使用する卵を置ける場所を確保しながら、スムーズにかつ、キレイに割ることができる器具に関するものである。
【背景技術】
【０００２】従来、卵の殻を割る場合、机の平面や、器の角などを使う手段を用いられている。
【発明の概要】
【発明が解決しようとする課題】
【０００３】卵の殻を割る場合、机の平面を使用すると汚れたり、平面で割れ目を入れることになるので、キレイにヒビが入らなかったり、器の角でヒビを入れた場合、殻の破片が、素材の中に入ってしまうことがある。
本発明は以上の問題点を解決し、卵を割る作業を効率的にかつ、衛生的に殻を割れるようになされたものである。
【課題を解決するための手段】
【０００４】卵を置く為の受けを設ける。受けは殻を割った際に出る、白身を受ける皿の役目も果たす。
真ん中の山の部分で殻を打ち付け殻にヒビを入れやすくする。
本発明は以上の構成によりなる、卵の殻を割る為の器具である。
【発明の効果】
【０００５】本発明を使用する度に卵の置き場所、割った際に出る白身の受け皿の役目も果たし、こぼれた白身も洗いやすく衛生的になるうえ殻を割る真ん中の山の部分があることで、キレイにヒビが入り殻が割りやすくなる。
【発明を実施するための形態】
【０００６】  以下、本発明の実施の形態を説明する。
（イ）  ステンレスやプラスチックなどの素材を用いて、両外側に卵置き及び白身受け皿        用のアールを設ける。
（ロ）  真ん中の山の部分は半円のアール形状になっており、卵の殻をアール形状に打ち        付けた場合、点で殻に力が加わり、殻のヒビが真横に入り卵の殻が割りやすくな        り殻の破片も素材に混入しにくく、割入れることができる。
（ハ）  底の部分は器具が動かない為のゴム製の滑り止めを設ける。
本発明は以上の構成よりになる。
本発明を使用するときは、両外側の受け皿の部分に必要分の卵を置く。
真ん中のアール部分で卵を卵を打ち付け殻を割る。
【図面の簡単な説明】
【０００７】
【図１】本発明の斜視図
【図２】本発明の正面図
【符号の説明】
【０００８】  （１）殻割り部、（２）卵置き及び白身受け部、（３）ゴム製滑り止め
【図１】
2018094360.tif 000003
【図２】
2018094360.tif 000004